(57)【特許請求の範囲】
【請求項１】
回路基板上に設置可能な所定のスイッチを利用する第１の動作モードと、該所定のスイッチを利用しない第２の動作モードとに切換えることができる電子機器において、
前記所定のスイッチは前記回路基板上に設けられた２個の接続パターンを定常的に短絡可能な少なくとも１個の外部接続端子を有し、該外部接続端子によって前記２個の接続パターンが短絡された状態において前記第１の動作モードで動作し、前記２個の接続パターンが短絡されていない状態で前記第２の動作モードで動作することを特徴とする電子機器。
【請求項２】
回路基板上に設置可能な所定のスイッチを利用する第１の動作モードと、該所定のスイッチを利用して前記第１の動作モードとは異なる動作をする第２の動作モードとに切換えることができる電子機器において、
前記所定のスイッチは前記回路基板上に設けられた２個の接続パターンを定常的に短絡可能な少なくとも１個の外部接続端子を有し、該外部接続端子によって前記２個の接続パターンが短絡された状態において前記第１の動作モードで動作し、前記２個の接続パターンが短絡されていない状態で前記第２の動作モードで動作することを特徴とする電子機器。
【請求項３】
前記２個の接続パターンを短絡する前記所定のスイッチの外部接続端子は、前記回路基板上に設けられた２個の接続パターンと対応して配置されるとともに前記スイッチの内部で接続された２個の端子で構成されていることを特徴とする請求項１又は２記載の電子機器。
【請求項４】
前記電子機器は、前記第１の動作モードに対応した処理を実行する第１のプログラムと、前記第２の動作モードに対応した処理を実行する第２のプログラムと、前記第１のプログラムと前記第２のプログラムの何れかを選択する選択端子とを有するマイコンを備え、前記回路基板上に設けられた２個の接続パターンの一方を前記マイコンの選択端子に接続し、他方に前記マイコンの第１のプログラムまたは第２のプログラムの何れかを選択するための所定レベルの信号を供給することにより、前記マイコンが、前記所定のスイッチの実装状態に応じて前記第１または第２のプログラムの何れかを選択するように構成したことを特徴とする請求項１又は２記載の電子機器。
【請求項５】
前記電子機器は所定の物理量を測定する測定機器であり、前記電子機器には該電子機器に電源を投入するための電源スイッチが設けられ、前記所定のスイッチは前記所定の物理量の測定動作を開始させるための測定スイッチであり、前記第１の動作モードでは、前記電源スイッチの操作により電源が投入され、前記測定スイッチの操作により前記所定の物理量の測定動作が開始され、前記第２の動作モードでは、前記電源スイッチの操作により電源が投入されるとともに前記所定の物理量の測定動作が開始されることを特徴とする請求項１記載の電子機器。
【発明の詳細な説明】
【０００１】
【発明の属する技術分野】
本発明は、スイッチを用いる電子機器に関する。
【０００２】
【従来の技術】
一般に、電子機器には、所定の操作を行う操作手段が設けられており、この操作手段を用いて電子機器が持っている機能や動作を行わせる。例えば、電子機器の例として、血圧計の場合、電源スイッチと測定スイッチとが設けらており、電源スイッチを押すと血圧計の電源が入り、この状態で測定スイッチを押すと測定が開始されるように構成されている。あるいは、測定スイッチを兼用した電源スイッチが設けられており、この電源スイッチを押して電源を投入すると自動的に測定動作も開始されるように構成されているものもある。
【０００３】
このように、血圧計などの測定機器の場合、電源スイッチのほかに測定スイッチを設けるか否かは、対象とするユーザー層や、用途、販売する国などによって変わってくるため、測定スイッチの有無以外を共通の仕様とし、販売する顧客に応じて、測定スイッチを設ける機種と設けない機種とを作り分ける場合がある。このような場合、血圧計の製造者は、測定スイッチを設ける機種と設けない機種とを出来る限り共通部品を用いて製造するほうがコスト的に有利であり、使用者にも、より低価格で提供することができる。
【０００４】
部品の共通化を目的として、回路基板及びこの回路基板に実装する測定スイッチ以外の部品を共通化しておき、測定スイッチを回路基板に実装した場合には、回路基板上に近接配置されたオプションパターンを半田などにより短絡させ、測定スイッチを回路基板に実装しない場合には、オプションパターンを開放状態にすることによって、機能を使い分ける構成が用いられている。
【０００５】
この従来技術を図面を用いて説明する。図１８は、従来の血圧計の回路基板のスイッチ部の回路図である。図１８において、１１０はマイコン、１５６は電源用のスイッチ、１６５は測定用のスイッチ、Ｒ１〜Ｒ３はプルアップ抵抗である。マイコン１１０は、電源スイッチ入力端子１１５ａと測定スイッチ入力端子１１５ｂと機能選択端子１１５ｃとを有している。電源スイッチ１５６の一方の端子はマイコン１１０の電源スイッチ入力端子１１５ａに接続され、他方の端子はグランドレベルに接続されている。また、電源スイッチ入力端子１１５ａはプルアップ抵抗Ｒ１を介して電源レベルに接続されている。同様に、測定スイッチ１６５の一方の端子はマイコン１１０の測定スイッチ入力端子１１５ｂに接続され、他方の端子はグランドレベルに接続されている。測定スイッチ入力端子１１５ｂはプルアップ抵抗Ｒ２を介して電源レベルに接続されている。さらに、マイコン１１０の機能選択端子１１５ｃは、半田実装パターンａに接続され、この半田実装パターンａに近接して設けられた半田実装パターンｂがグランドレベルに接続されている。
【０００６】
図１８に示した従来の血圧計では、測定スイッチ１６５を実装した場合は、半田実装パターンａ，ｂに半田を実装せず、マイコン１１０の機能選択端子１１５ｃにはプルアップ抵抗Ｒ３により電源レベルの信号が供給される。これに対して、測定スイッチ１６５を実装しない場合は、半田実装パターンａ，ｂに半田を実装してこの２つのパターンを短絡させ、マイコン１１０の機能選択端子１１５ｃにはグランドレベルの信号が供給される。マイコン１１０は、機能選択端子１１５ｃに供給される信号を検出して測定スイッチ１６５が実装される機種か実装されない機種かを判別して、それに対応した内蔵するプログラムを選択する。これとは逆に、マイコン１１０のプログラムによっては、測定スイッチ１６５を実装する場合に半田実装パターン、すなわちオプションパターンを短絡させる場合もある。
【０００７】
また、電源スイッチ１５６，測定スイッチ１６５ともにＯＦＦ状態の場合は、電源スイッチ入力端子１１５ａ、測定スイッチ入力端子１１５ｂにはプルアップ抵抗１，Ｒ２により電源レベルの信号が供給される。これに対して、電源スイッチ１５６や測定スイッチ１６５がＯＮ状態の場合は、電源スイッチ入力端子１１５ａや測定スイッチ入力端子１１５ｂにはグランドレベルの信号が供給される。マイコン１１０は、電源スイッチ入力端子１１５ａ，測定スイッチ入力端子１１５ｂに入力される信号を検出して各スイッチが押されたか否かを検出する。
【０００８】
【発明が解決しようとする課題】
しかし、図１８に示した構成では、測定スイッチを実装する場合、または実装しない場合のいずれかで、オプションパターンを短絡させるという工程が必要である。また、オプションパターンを短絡しなければならないにもかかわらず、半田の実装を忘れてしまったり、半田の実装不良により、短絡されない場合もある。本発明は上記課題を解決し、実装工程をより簡略化可能な電子機器を提供することにある。
【０００９】
【課題を解決するための手段】
上記目的を達成するために本発明は、回路基板上に設置可能な所定のスイッチを利用する第１の動作モードと、該所定のスイッチを利用しない第２の動作モードとに切換えることができる電子機器において、前記所定のスイッチは前記回路基板上に設けられた２個の接続パターンを定常的に短絡可能な少なくとも１個の外部接続端子を有し、該外部接続端子によって前記２個の接続パターンが短絡された状態において前記第１の動作モードで動作し、前記２個の接続パターンが短絡されていない状態で前記第２の動作モードで動作することを特徴とする。
【００１０】
また、回路基板上に設置可能な所定のスイッチを利用する第１の動作モードと、該所定のスイッチを利用して前記第１の動作モードとは異なる動作をする第２の動作モードとに切換えることができる電子機器において、前記所定のスイッチは前記回路基板上に設けられた２個の接続パターンを定常的に短絡可能な少なくとも１個の外部接続端子を有し、該外部接続端子によって前記２個の接続パターンが短絡された状態において前記第１の動作モードで動作し、前記２個の接続パターンが短絡されていない状態で前記第２の動作モードで動作することを特徴とする。
【００１１】
また、前記２個の接続パターンを短絡する前記所定のスイッチの外部接続端子は、前記回路基板上に設けられた２個の接続パターンと対応して配置されているとともに前記スイッチの内部で接続された２個の端子で構成されていることを特徴とする。
【００１２】
また、前記電子機器は、前記第１の動作モードに対応した処理を実行する第１のプログラムと、前記第２の動作モードに対応した処理を実行する第２のプログラムと、前記第１のプログラムと前記第２のプログラムの何れかを選択する選択端子とを有するマイコンを備え、前記回路基板上に設けられた２個の接続パターンの一方を前記マイコンの選択端子に接続し、他方に前記マイコンの第１のプログラムまたは第２のプログラムのいずれか一方を選択するための所定レベルの信号を供給することにより、前記マイコンが、前記所定の操作スイッチの実装状態に応じて前記第１または第２のプログラムの何れかを選択するように構成したことを特徴とする。
【００１３】
また、前記電子機器は所定の物理量を測定する測定機器であり、前記電子機器には該電子機器に電源を投入するための電源スイッチが設けられ、前記所定の操作スイッチは前記所定の物理量の測定動作を開始させるための測定スイッチであり、前記第１の動作モードでは、前記電源スイッチの操作により電源が投入され、前記測定スイッチの操作により前記所定の物理量の測定動作が開始され、前記第２の動作モードでは、前記電源スイッチの操作により電源が投入されるとともに前記所定の物理量の測定動作が開始されることを特徴とする。
【００１４】
【発明の実施の形態】
以下、図面を用いて本発明の実施の形態を説明する。
図１は本発明の第１の実施の形態における回路基板の要部を示す平面図であり、（ａ）は測定スイッチを構成するスイッチ本体を実装しない状態の図、（ｂ）は測定スイッチを構成するスイッチ本体を実装した状態の図、図２は電源スイッチ及び測定スイッチの構成を示す図であり、（ａ）はスイッチ本体の背面図、（ｂ）はスイッチ本体の上面図、（ｃ）はスイッチ本体及びスイッチ押圧部材の側面図、図３は本発明の第１の実施の形態における血圧計の外観図、図４は本発明の第１の実施の形態における血圧計のブロック図、図５は本発明の第１の実施の形態における血圧計のスイッチ本体とマイコンの部分の回路図であり、（ａ）は測定スイッチを構成するスイッチ本体を実装しない場合の図、（ｂ）は測定スイッチを構成するスイッチ本体を実装した場合の図である。
【００１５】
図３において、１は血圧計であり、血圧計本体２と、この血圧計本体２に一体に設けられるとともに手首に巻きつけるカフ３とから構成されている。血圧計本体２は、測定した血圧値などを表示する表示装置４と、血圧計１の電源をＯＮ／ＯＦＦ操作する押しボタン式の電源スイッチ５と、血圧測定を開始させるための押しボタン式の測定スイッチ６とを有している。測定スイッチ６は、血圧計本体２に設ける機種もあれば設けない機種も有り、両者を選択して製造することができる。
【００１６】
図４において、１０はマイコンであり、血圧測定のための所定のプログラムが内蔵されている。１１はカフ３に加圧空気を送るポンプ、１２はカフ３内の空気を急速に排気する急速排気弁、１３はカフ３内の圧力を検出する圧力検出手段である。このマイコン１０、ポンプ１１、急速排気弁１２、圧力検出手段１３は血圧計本体２内に内蔵されている。電源スイッチ５、測定スイッチ６はマイコン１０に接続され、これらを操作することによって、マイコン１０はそれぞれの操作に対応した処理を実行する。ポンプ１１、急速排気弁１２、圧力検出手段１３、表示装置４もマイコン１０に接続されており、これらの動作はマイコン１０によって制御される。
【００１７】
次に、図３に示す血圧計１の動作を説明する。先ず、血圧計本体２が手首の内側（手のひら側）に載るように手首にカフ３を巻きつけて装着する。測定スイッチ６が設けられている機種では、カフ３を装着後、電源スイッチ５を押すと血圧計本体２に電源が投入されるのみで測定動作は行われず、この状態で測定スイッチ６を押すと血圧の測定動作が開始される第１の動作モードで動作する。一方、測定スイッチ６が設けられていない機種の場合は、電源スイッチ５を押すと血圧計本体２に電源が投入されるとともに、自動的に血圧の測定動作も開始される第２の動作モードで動作する。すなわち、第１の動作モードでは測定スイッチ６を利用し、第２の動作モードでは測定スイッチ６を利用しない。第１の動作モードまたは第２の動作モードで血圧の測定動作が開始されると、ポンプ１１からカフ３に加圧空気が供給され、その過程で圧力検出手段１３が検出した圧力に基づいて血圧値が求められ、その結果が表示装置４に表示されるとともに、急速排気弁１２によりカフ３内の空気が急速に排気される。
【００１８】
次に、図１と図２を用いて、測定スイッチ６の回路基板への実装につて説明する。本実施の形態の電源スイッチ５と測定スイッチ６とは回路基板へ実装する位置が異なるだけで構成は同じであり、図２（ｃ）に示すようにスイッチ本体５６と、このスイッチ本体５６とは別体で、スイッチ本体５６の上に配置されたスイッチ押圧部材６５とから構成されている。図２（ａ）に示すように、スイッチ本体５６の裏面には後述する回路基板２０に実装するための４つの外部接続端子５６ａ〜５６ｄが設けられており、外部接続端子５６ａと５６ｂ，外部接続端子５６ｃと５６ｄとがスイッチ本体５６の内部で接続されている。スイッチ本体５６の上面には、平面形状が円形で側面形状が凸状の押圧部５６ｆが設けられており、ユーザーが押圧部材６５を押すことによって、スイッチ本体５６の押圧部５６ｆが凹み、接続端子５６ａ，５６ｂ側と接続端子５６ｃ，５６ｄ側とがスイッチ５６の内部で接続されるように構成されている。
【００１９】
図１（ａ）において、２０は回路基板であり、マイコン１０と抵抗Ｒ１〜Ｒ３が実装されている。回路基板２０には、図１（ｂ）に示した電源スイッチ５を構成するスイッチ本体５６Ａと、測定スイッチ６を構成するスイッチ本体５６Ｂとを実装するための接続パタン２５ａ〜２５ｄと接続パターン２６ａ〜２６ｄとが形成されている。スイッチ本体５６Ａの外部接続端子５６ａ〜５６ｄに対応して接続パターン２５ａ〜２５ｄが配置され、同様に、スイッチ本体５６Ｂの外部接続端子５６ａ〜５６ｄに対応して接続パターン２６ａ〜２６ｄが配置されている。（図１では、スイッチ本体５６Ａ，５６Ｂの外部接続端子や、スイッチ内部での接続状態を、一部回路記号を用いて点線で示している。）マイコン１０は電源スイッチ５が押されたか否かを検出する電源スイッチ入力端子１０ａと、測定スイッチ６が押されたか否かを検出する測定スイッチ入力端子１０ｂと測定スイッチ６を構成するスイッチ本体５６Ｂが実装されているか否かを検出するスイッチ検出端子１０ｃとを有している。さらに、後述する第２の実施の形態や第３の実施の形態で用いる機能選択端子１０ｄやスイッチ検出端子１０ｅも有している。
【００２０】
接続パターン２５ｃ，２５ｄは回路パターン２９ｄにより回路基板２０に設けられたグランドレベルのパターン２８に接続され、同様に、接続パターン２６ｄも回路パターン２９ｄによりグランドレベルのパターン２８に接続されている。また、接続パターン２５ａは回路パターン２９ａによりマイコン１０の電源スイッチ入力端子１０ａに接続され、接続パターン２６ａは回路パターン２９ｂにより測定スイッチ入力端子１０ｂに接続され、接続パターン２６ｃは回路パターン２９ｃによりスイッチ検出端子１０ｃに接続されている。さらに、回路パターン２９ａ，２９ｂ，２９ｃはそれぞれ抵抗Ｒ１，Ｒ２，Ｒ３を介して電源レベルに接続されている。すなわち、電源スイッチ入力端子１０ａ，測定スイッチ入力端子１０ｂ，スイッチ検出端子１０ｃはそれぞれ抵抗Ｒ１，Ｒ２，Ｒ３によりプルアップされている。
【００２１】
スイッチ本体５６ＡがＯＦＦ状態では、接続パターン２５ａ，２５ｂは接続パターン２５ｃ，２５ｄとは接続されていないため、マイコン１０の電源スイッチ入力端子１０ａはプルアップされた状態にある。これに対して、スイッチ本体５６ＡがＯＮ状態では、接続パターン２５ａ，２５ｂと、接続パターン２５ｃ，２５ｄとが電気的に接続されるため、マイコン１０の電源入力端子１０ａはグランドレベルになる。そしてマイコン１０は、内蔵されているプログラムにより、電源スイッチ入力端子１０ａの状態を検出して電源スイッチ５が押されているか否かを検出する。
【００２２】
スイッチ本体５６Ｂは、測定スイッチ６を設ける機種の回路基板２０に実装し、測定スイッチ６を設けない機種には実装しない。すなわち、スイッチ本体５６Ｂは、回路基板上に設置可能な所定のスイッチであり、前述した第１の動作モードではこのスイッチ本体５６Ｂを利用し、第２の動作モードではスイッチ本体５６Ｂを利用しない。図１（ａ）のように、スイッチ本体５６Ｂを実装しない場合は、接続パターン２６ｃと接続パターン２６ｄとは開放されて電気的に接続されないため、マイコン１０のスイッチ検出端子１０ｃにはプルアップ抵抗Ｒ３により電源レベルが供給される。同様に、測定スイッチ入力端子１０ｂもプルアップされた状態にある。スイッチ本体５６Ｂを実装しない場合の回路図を図５（ａ）に示す。
【００２３】
一方、図１（ｂ）のようにスイッチ本体５６Ｂを実装した場合は、回路基板２０上に設けられた２個の接続パターン２６ｃと２６ｄとはスイッチ本体５６Ｂの外部接続端子５６ｃと５６ｄとにより定常的に短絡される。従って、スイッチ検出端子１０ｃはグランドレベルに接続される。スイッチ本体５６Ｂを実装した場合の回路図を図５（ｂ）に示す。マイコン１０は、内蔵するプログラムにより、スイッチ検出端子１０ｃの状態を検出してスイッチ本体５６Ｂが実装されているか否かを判断し、スイッチ検出端子１０ｃにグランドレベルの信号が供給されている（スイッチ本体５６Ｂが実装されている）と判断した場合には第１の動作モードを選択し、スイッチ検出端子１０ｃにグランドレベルの信号が供給されていない（スイッチ本体５６Ｂが実装されていない）と判断すると第２の動作モードを選択する。
【００２４】
言い換えると、スイッチ本体５６Ｂの外部接続端子（５６ｃ，５６ｄ）によって回路基板上の２個の接続パターン（２６ｃ，２６ｄ）が短絡された状態において第１の動作モードで動作し、２個の接続パターン（２６ｃ，２６ｄ）が短絡されていない状態で第２の動作モードで動作する。また、スイッチ本体５６Ｂが実装されている場合のスイッチ本体５６ＢのＯＮ／ＯＦＦ状態の検出は、測定スイッチ入力端子１０ｂにより、スイッチ本体５６Ａの場合と同様に検出される。
【００２５】
図６は、本発明の第１の実施の形態における血圧計の測定スイッチの検出を示すフローチャートである。次に図６を用いて、測定スイッチ６を構成するスイッチ本体５６Ｂの検出処理を説明する。まず、Ｓ１１で血圧計本体２の図示しない電池収納部に電池がセットされる。Ｓ１２ではマイコン１０が内蔵する所定の初期プログラムが実行される。Ｓ１３では、マイコン１０はスイッチ検出端子１０ｃがグランドレベルであるか否かを検出し、グランドレベルの場合はＳ１４に進み、グランドレベルではない場合はＳ１５に進む。すなわち、測定スイッチ６を構成するスイッチ本体５６Ｂの実装を検出した場合にはＳ１４を経由し、検出しない場合にはＳ１４を経由せずにＳ１５の処理を実行する。Ｓ１４では、マイコン１０の内部でスイッチ本体５６Ｂが検出されたことを示すフラグをセットする処理を行い、それが終わるとＳ１５に進む。Ｓ１５では、電源スイッチ５が押されたことをマイコン１０が検出する。Ｓ１６では、マイコン１０は測定スイッチフラグがセットされているか否かを判断し、測定スイッチフラグがセットされたと判断するとＳ１７の処理を行い、測定スイッチフラグがセットされていないと判断するとＳ１８の処理を行う。Ｓ１７では、測定スイッチ６の入力に対応した処理が実行される。具体的には、測定スイッチ入力端子１０ｂがグランドレベルになったか否かを検出し、グランドレベルにならなければ入力端子１０ｂの検出処理を継続し、グランドレベルになった場合にＳ１８に進む。Ｓ１８では、血圧計の測定動作に応じた処理を実行する。
【００２６】
図６において、Ｓ１６からＳ１７を経由してＳ１８が実行されるのが第１の動作モードに応じた処理であり、Ｓ１６の後にＳ１８が実行されるのが第２の動作モードに応じた処理である。
【００２７】
このように、マイコン１０は、第１の動作モードに対応した処理を実行する第１のプログラムと、第２の動作モードに対応した処理を実行する第２のプログラムとを有している。そして、回路基板２０上に設けられた２個の接続パターン（２６ｃ，２６ｄ）のうちの一方の接続パターン（２６ｃ）はマイコン１０のスイッチ検出端子１０ｃに接続され、他方の接続パターン２６ｄには第１のプログラムを選択するための所定レベル（グランドレベル）の信号が供給されており、マイコン１０は、スイッチ本体５６Ｂの実装状態に応じて第１のプログラムと第２のプログラムのいずれかを自動的に選択している。すなわち、マイコン１０のスイッチ検出端子は、第１のプログラムと第２のプログラムのいずれかを選択する機能選択端子である。また、接続パターン２６ｃに供給する所定レベルの信号は、少なくともいずれかのプログラムが選択できればグランドレベルの信号でなくてもよい。
【００２８】
第１の実施の形態では、測定スイッチ６を構成するスイッチ本体５６Ｂが実装されているか否かをマイコン１０が自動的に検出して、これに応じた処理を行うように構成されており、従来のように測定スイッチ６の実装の有無に応じてオプションパターンに半田を実装す作業は必要ない。従って、作業工程が簡単になるとともに実装ミスも少なくなる。
【００２９】
図１に示した第１の実施の形態では、スイッチ本体５６Ｂの内部で接続された２つの外部接続端子５６ｃと５６ｄを用いて回路基板２０の接続パターン２６ｃと２６ｄとを接続したが、本発明はこれに限らない。図７は、本発明の第１の実施の形態において、スイッチ本体５６Ｂの１つの外部接続端子で回路基板に形成された２つの接続パターンを接続することにより、スイッチ本体５６Ｂが実装されているか否かを検出するように構成した場合の回路基板の要部平面図である。図７において、２６ｃ１と２６ｃ２はスイッチ本体５６Ｂの外部接続端子５６ｃを実装するために回路基板２０ａに形成された接続パターンであり、図１に示した接続パターン２６ｃを２つに分割して構成している。接続パターン２６ｃ１は回路パターン２９ｃ１によりマイコン１０の測定スイッチ検出端子１０ｃに接続され、接続パターン２６ｃ２は回路パターン２９ｃ２によりグランドレベルのパターン２８に接続されている。接続パターン２６ｄは、接続パターン２６ｂと同様に、他のパターンとは接続されていない。また、マイコン１０のスイッチ検出端子１０ｃは、図１と同様に抵抗Ｒ３により電源レベルにプルアップされている。この接続パターン２６ｃ１と２６ｃ２にかかわる部分以外は図１に示した構成と同様であり、その説明を省略する。
【００３０】
図１に示したスイッチ本体５６Ｂを実装する場合には、スイッチ本体５６Ｂの外部接続端子５６ａ，５６ｂ，５６ｃ，５６ｄをそれぞれ、回路基板２０ａの接続パターン２６ａ，２６ｂ，２６ｃ１及び２６ｃ２，２６ｄに実装する。すると、接続パターン２６ｃ１と２６ｃ２はスイッチ本体５６Ｂの外部接続端子５６ｃによって接続され、マイコン１０のスイッチ検出端子１０ｃにはグランドレベルの信号が供給される。また、スイッチ本体５６Ｂを実装しない場合には、接続パターン２６ｃ１と２６ｃ２は接続されないため、マイコン１０のスイッチ検出端子１０ｃには、プルアップ抵抗Ｒ３により電源レベルの信号が供給される。マイコン１０は、図１に示した場合と同様に、測定スイッチ検出端子１０ｃに供給される信号により測定スイッチ６を構成するスイッチ本体５６Ｂが実装されているか否かを検出する。
【００３１】
また、第１の実施の形態では、４つの外部接続端子を有するスイッチ本体５６を用いたが、本発明はこれに限らない。例えば、図２に示したスイッチ本体５６の外部接続端子５６ｄを削除した３つの外部接続端子を有するスイッチ本体を、図７から接続端子２６ｄを削除した構成の回路基板に実装してもよい。この場合も、回路基板の接続パターン２６ｃ１と２６ｃ２の短絡、開放により、スイッチ本体の実装を検出することができる。
【００３２】
次に、２つの外部接続端子が形成されたスイッチ本体を本発明の第１の実施の形態に適用した場合について説明する。図８は本発明の第１の実施の形態において、２つの外部接続端子が形成されたスイッチ本体を用いて血圧計の測定スイッチを構成した場合を示した図であり、（ａ）は回路基板の要部平面図、（ｂ）は測定スイッチの平面図、（ｃ）は測定スイッチの回路図である。図１や図２に示した例と異なるのは測定スイッチを構成するスイッチ本体と、このスイッチ本体を実装する回路基板に形成された接続パターンのみであり、これ以外の部分は図および説明を省略する。
【００３３】
図８（ｂ）において、６６はスイッチ本体であり、６６ａ，６６ｂはスイッチ本体６６に形成された外部接続端子である。また、凸状の押圧部６６ｆが設けられており、この押圧部６６ｆが押されていない状態では、外部接続端子６６ａと６６ｂとは開放状態にあり、押圧部６６ｆが押された状態では、外部接続端子６６ａと６６ｂとが接続されるように構成されている。このスイッチ本体６６の上には、図２（ｃ）に示した押圧部材６５が配置される。このスイッチ本体６６の回路図を図８（ｃ）に示す。
【００３４】
図８（ａ）において、２０ｂは回路基板であり、スイッチ本体６６の外部接続端子６６ａ，６６ｂを実装する接続パターン２６ｅ，２６ｆ，２６ｇが形成されている。また、回路基板２０ｂには、接続パターン２６ｅとマイコン１０（図８では図示せず）の測定スイッチ入力端子１０ｂとを接続する回路パターン２９ｅと、接続パターン２６ｆとマイコン１０のスイッチ検出端子１０ｃとを接続する回路パターン２９ｆと、接続パターン２６ｇとグランドレベルのパターン２８とを接続する回路パターン２９ｇとが形成されている。
【００３５】
スイッチ本体６６の非実装状態では、接続パターン２６ｆと２６ｇとが開放されており、マイコン１０のスイッチ検出端子１０ｃにはプルアップ抵抗Ｒ３により電源レベルの信号が供給される。また、スイッチ本体６６の実装状態では、外部接続端子６６ａが接続パターン２６ｅに接続され、外部接続端子６６ｂが接続パターン２６ｆ及び２６ｇに接続される。すると、接続端子２６ｆと２６ｇとがスイッチ本体６６の外部接続パターン６６ｂにより電気的に接続され、マイコン１０のスイッチ検出端子１０ｃにはグランドレベルの信号が供給される。そして、マイコン１０は、スイッチ検出端子１０ｃに供給される信号を検出することにより、スイッチ本体６６が実装されているか否か、すなわち、測定スイッチ６が実装されているか否かを検出する。
【００３６】
第１の実施の形態では、外部接続端子の数が２つから４つのスイッチ本体を用いて説明したが、動作モード選択のための回路上の２個の接続パターンを定常的に短絡可能な少なくとも１個の外部接続端子を有していればよい。また、第１の実施の形態では、回路基板２０の接続パターン２６ｃを直接マイコン１０のスイッチ検出端子に接続したが、たとえば、トランジスタ等を介して接続してもよい。
【００３７】
次に、図９〜図１３を用いて第２の実施の形態を説明する。
図９は本発明の第２の実施の形態における血圧計の回路基板の要部平面図であり、（ａ）はメモリスイッチを構成するスイッチ本体を実装した状態の図、（ｂ）は（ａ）とは異なる向きでメモりスイッチ構成するスイッチ本体を実装した状態の図、図１０は本発明の第２の実施の形態における血圧計の外観図、図１１は本発明の第２の実施の形態における血圧計のメモリの値の表示を示す図、図１２は本発明の第２の実施の形態における血圧計の動作モードの選択を示すフローチャート、図１３は本発明の第２の実施の形態における血圧計の回路図の要部であり、（ａ）は図９（ａ）の向きでメモりスイッチを構成するスイッチ本体を実装した場合の図、（ｂ）は図９（ｂ）の向きでメモりスイッチを構成するスイッチ本体を実装した場合の図である。
【００３８】
本発明の第１の実施の形態では、電源スイッチの他に、測定スイッチを実装する機種と実装しない機種との２種類が存在したが、本発明の第２の実施の形態では、電源スイッチの他に、もう一つ別のスイッチが必ず実装されるとともに、このスイッチを回路基板へ取り付ける向きに応じて血圧計が有する２つの動作モードのうちの一つが選択される。
【００３９】
図１０の外観図が図３に示した第１の実施の形態と異なるのは測定スイッチ６の代わりにメモリスイッチ７が設けられている点である。また、血圧計１が過去の所定回数分までの測定値を記憶しておき、それをメモリスイッチ７で呼び出すことができる点も第１の実施の形態とは異なる。
【００４０】
次に、図１１を用いて第２の実施の形態における２種類の動作モードについて説明する。先ず、第１の動作モードでは、血圧計１の電源がＯＦＦの状態でメモリスイッチ７を押すと、血圧計１の電源が入り、そしてメモリスイッチ７を押す毎に記憶されている過去の測定値が古い順に呼び出され、表示装置４に表示される。例えば、過去の測定値が４回分記憶されている場合、電源ＯＦＦの状態からメモリスイッチ７を押すと、最初に図１１（ａ）に示す４回前に測定した値（最高血圧１３０ｍｍＨｇ，最低血圧値８０ｍｍＨｇ）が表示装置４に表示される。次にメモりスイッチ７を押すと図１２（ｂ）に示す３回前に測定した値（最高血圧１２７ｍｍＨｇ，最低血圧７８ｍｍＨｇ）が表示装置４に表示される。そして、メモリスイッチ７を押す毎に図１２（ｃ）に示す２回前に測定した値（最高血圧１３３ｍｍＨｇ，最低血圧８６ｍｍＨｇ）と、図１１（ｄ）に示す前回測定した値（最高血圧１３１ｍｍＨｇ，最低血圧８２ｍｍＨｇ）が順次表示される。そして、この状態からメモリスイッチ７を押すと表示装置４にスクロールの区切りを示すための図示しない所定の区切り表示がされた後、再び図１１（ａ）の４回前に測定した値が表示される。
【００４１】
一方、第２の動作モードでは、血圧計１の電源がＯＦＦの状態でメモリスイッチ７を押すと、血圧計１の電源が入り、そしてメモリスイッチ７を押す毎に記憶されている過去の測定値が新しい順に呼び出される。例えば、図１１（ａ）〜（ｄ）に示した第１の動作モードの説明で用いた４回分の測定値が記憶されている場合、電源ＯＦＦの状態からメモリスイッチ７を押すと、最初に図１１（ｄ）に示す前回測定した値が表示される。そして、次にメモりスイッチ７を押すと図１１（ｃ）に示す２回前に測定した値が表示され、メモリスイッチ７を押す毎に図１２（ｂ）に示す３回前に測定した値と図１２（ａ）に示す４回前に測定した値が表示される。そして、この状態からメモリスイッチ７を押すと表示装置４にスクロールの区切りを示すための図示しない所定の区切り表示がされた後、再び図１１（ａ）の前回測定した値が表示される。すなわち、所定のスイッチであるメモリスイッチ７を利用する第１の動作モードと、メモリスイッチ７を利用して、第１のモードとは異なる動作をする第２の動作モードとを有しており、これらが切換え可能である。
【００４２】
次に、図９を用いてメモリスイッチ７の回路基板への実装について説明する。図９（ａ）及び（ｂ）において、２０ｃは回路基板であり、図１に示した第１の実施の形態の回路基板と異なるのは、接続パターン２６ｃが接続パターン２９ｈにより、マイコン１０の機能選択端子１０ｄに接続されている点と、機能選択端子１０ｄが抵抗Ｒ４によりプルアップされている点であり、これ以外は図１と同じである。また、メモリスイッチ７の構成も、電源スイッチ５や測定スイッチ６と同様に図２に示したスイッチ本体５６と押圧部材６５とから構成されている。メモリスイッチ７を構成するスイッチ本体として記号５６Ｃを用いる。マイコン１０の機能選択端子１０ｄは、前述した２つの動作モードを切り換えるための端子であり、これにグランドレベルの信号が供給されていると第１の動作モードが選択され、電源レベルの信号が供給されていると第２の動作モードが選択される。
【００４３】
図９（ａ）では、図１（ｂ）と同様な向きでスイッチ本体５６Ｃが回路基板２０ｃに実装されている。従って、スイッチ本体５６Ｃの外部接続端子５６ｃと５６ｄとにより回路基板２０ｃの接続パターン２６ｃと２６ｄとが接続され、その結果、マイコン１０の機能選択端子１０ｄにグランドレベルの信号が供給される。つまり、回路基板２０ｃ上に設けられた２個の接続パターン（２６ｃ，２６ｄ）がスイッチ本体５６Ｃの外部接続端子（５６ｃ，５６ｄ）により定常的に短絡されている。図９（ａ）の向きでスイッチ本体５６Ｃを実装した場合の回路図を図１３（ａ）に示す。
【００４４】
また、図９（ｂ）のように、スイッチ本体５６Ｃを反時計回りに９０度回転させて回路基板２０ｃに実装すると、スイッチ本体５６Ｃの外部接続端子５６ａと５６ｃとはスイッチ内部で接続されていないため、これらを実装する回路基板２０ｃの接続パターン２６ｃと２６ｄとは開放され、その結果、マイコン１０の機能選択端子１０ｄにはプルアップ抵抗Ｒ４を介して電源レベルの信号が供給される。図９（ｂ）の向きでスイッチ本体５６Ｃを実装した場合の回路図を図１３（ｂ）に示す。そして、マイコン１０は、機能選択端子１０ｄに供給されている信号を検出し、グランドレベルの信号が供給されている場合はメモリの値を古い順で呼び出すプログラムを選択し、電源レベルの信号が供給されている場合（グランドレベルの信号が供給されていない場合）はメモリの値を新しい順で呼び出すプログラムを選択する。言い換えると、スイッチ本体５６Ｃの外部接続端子（５６ｃ，５６ｄ）により、回路基板上２０ｃ上の接続パターン（２６ｃ，２６ｄ）が短絡された状態では前述した第１の動作モードで動作し、スイッチ本体５６Ｃの外部接続端子（５６ｃ，５６ｄ）により、回路基板上２０ｃ上の接続パターン（２６ｃ，２６ｄ）が短絡されていない状態では前述した第２の動作モードで動作する。
【００４５】
機能選択端子１０ｄにグランドレベルの信号を供給する場合は、スイッチ本体５６Ｃを図９（ａ）に示した向きから１８０度回転させて実装しても良い。この場合は、回路基板２０ｃの接続パターン２６ｃと２６ｄはスイッチ本体５６Ｃの外部接続端子５６ｂと５６ａとによって接続される。また、機能選択端子１０ｄに電源レベルの信号を供給する場合は、スイッチ本体５６を図９（ｂ）に示した向きから１８０度回転させて実装しても良い。この場合は、スイッチ本体５６Ｃの互いに接続されていない外部接続端子５６ｄと５６ｂとが、回路基板２０ｃの接続パターン２６ｃと２６ｄとに実装される。
【００４６】
次に、マイコン１０によるスイッチ本体のＯＮ検出について説明する。図９（ａ）の場合は、スイッチ本体５６Ｃの実装向きが図１と同じなので説明を省略する。  図９（ｂ）の場合、スイッチ本体５６ＣがＯＦＦの状態では、回路基板２０Ｃの接続パターン２６ａは、スイッチ本体５６Ｃの外部接続端子５６ｂ，５６ａと外部接続端子５６ｄ，５６ｃとは接続されていないため、マイコン１０のスイッチ入力端子１０ｂには、プルアップ抵抗Ｒ２を介して電源レベルに接続される。これに対し、スイッチ本体５６ＣがＯＮの状態では、スイッチ本体５６Ｃの外部接続端子５６ｂ，５６ａがスイッチ本体５６ｄ及び５６ｃと接続されるため、回路基板２０ｃの接続パターン２６ａは接続パターン２６ｂ及び２６ｄに接続され、マイコン１０のスイッチ入力端子１０ｂにはグランドレベルの信号が供給される。マイコン１０は、スイッチ入力端子１０ｂに供給される信号を検出してメモリスイッチ７が押されたか否かを判断する。
【００４７】
次に図１２を用いて動作モードの選択について説明する。まず、Ｓ２１では血圧計本体２に電池がセットされ、マイコン１０に電源が供給される。次にＳ２２では、マイコン１０が動作を開始し、最初に実行される所定の初期プログラムが実行される。次に、Ｓ２３では、マイコン１０が機能選択端子１０ｄに供給されている信号を読み、これがグランドレベルか否かを判断する。ここで、機能選択端子１０ｄにグランドレベルの信号が供給されていると判断すると、Ｓ２４で、記憶されているメモリを古いものから順番に表示させるプログラム（第１の動作モード）を選択する。また、Ｓ２３で、スイッチ検出端子１０にグランドレベルの信号が供給されていないと判断すると、Ｓ２５で、記憶されているメモリを新しいものから順番に表示させるプログラム（第２の動作モード）を選択する。
【００４８】
第２の実施の形態では、第１の実施の形態と同様に、マイコン１０が、第１の動作モードに対応した処理を実行する第１のプログラムと、第２の動作モードに対応した処理を実行する第２のプログラムとを有している。そして、回路基板２０ｃ上に設けられた２個の接続パターン（２６ｃ，２６ｄ）のうちの一方の接続パターン（２６ｃ）はマイコン１０のスイッチ検出端子１０ｃに接続され、他方の接続パターン２６ｄには第１のプログラムを選択するための所定レベル（グランドレベル）の信号が供給されており、マイコン１０は、スイッチ本体５６Ｃの実装状態に応じて第１のプログラムと第２のプログラムのいずれかを自動的に選択している。
【００４９】
第２の実施の形態では、４つの外部接続端子を有するスイッチ本体を用いたが、本発明はこれに限らず、第１の実施の形態の場合と同様に、例えば外部接続端子が３つ以下の接続端子を有するスイッチ本体を用いて構成することも可能である。その例を図１４を用いて説明する。図１４は２つの外部接続端子が形成されたスイッチ本体を本発明の第２の実施の形態に適用した場合の回路基板の要部を示した図である。図１４において、２０ｄは回路基板であり、図８に示した回路基板２０ｂに示した接続パターン２６ｅ，２６ｆ，２６ｇが形成されている。そして、接続パターン２６ｅは回路パターン２９ｅによりマイコン１０（図示せず）の測定スイッチ入力端子１０ｂに接続されるとともに、マイコン１０の測定スイッチ入力端子１０ｂは抵抗Ｒ２によりプルアップされ、接続パターン２６ｇは回路パターン２９ｇによりグランドレベルのパターン２８に接続されている。図８に示した回路基板２０ｂと異なるのは、接続パターン２６ｆが回路パターン２９ｆ１によりマイコン１０の機能選択端子１０ｄに接続されている点と、接続パターン２６ｉ，２６ｊが形成され、これらがそれぞれ、回路パターン２９ｉ，２９ｊにより、接続パターン２６ｅ，グランドレベルのパターン２８に接続されている点である。マイコン１０の機能選択端子１０ｄは抵抗Ｒ４によりプルアップされている。
【００５０】
スイッチ本体は、図８（ｂ）のスイッチ本体６６と同じものを用いる。スイッチ本体６６の実装方法は２種類あり、図８を用いた実施の形態と同様にスイッチ本体６６の外部接続端子６６ａを回路基板２０ｄの接続パターン２６ｅに実装し、スイッチ本体６６の外部接続端子６６ｂを回路基板２０ｄの接続パターン２６ｆと２６ｇの両方に接続させる第１の実装と、スイッチ本体６５の外部接続端子６６ａ，６６ｂをそれぞれ回路基板２０ｄの接続パターン２６ｉ，２６ｊに接続する第２の実装とがある。
【００５１】
第１の実装では、スイッチ本体６６の外部接続端子６６ｂにより、回路基板２０ｂの接続パターン２６ｆと２６ｇとが接続されるため、図示しないマイコン１０の機能選択端子１０ｄにグランドレベルの信号が供給される。これに対し、第２の実装では、回路基板２０ｄの接続パターン２６ｆと２６ｇとが開放状態になるためマイコン１０の機能選択端子１０ｄにはプルアップ抵抗Ｒ４により電源レベルの信号が供給される。そして、マイコン１０は、機能選択端子１０ｄに入力される信号を検出して機能を使い分ける。
【００５２】
また、第１の実装では、図８の場合と同様にスイッチのＯＮ状態が検出される。第２の実装ではスイッチ本体６６がＯＦＦの状態では、接続パターン２６ｉは接続パターン２６ｅ以外とは接続されないため、マイコン１０のスイッチ入力端子１０ｂはプルアップ抵抗Ｒ２により電源レベルに接続される。これに対し、スイッチ本体６５がＯＮの状態では、接続パターン２６ｉが接続パターン２６ｊと接続され、マイコン１０のスイッチ入力端子１０ｂにはグランドレベルの信号が供給される。マイコン１０は、スイッチ入力端子１０ｂに供給される信号を検出してスイッチのＯＮ／ＯＦＦを検出する。
【００５３】
次に、図１５〜図１７を用いて本発明の第３の実施の形態を説明する。
図１５は本発明の第３の実施の形態における血圧計に用いる回路基板の要部平面図であり、（ａ）は測定スイッチを構成するスイッチ本体を実装しない状態の図、（ｂ）は測定スイッチを構成するスイッチ本体を実装した状態の図、（ｃ）は（ｂ）とは異なる向きで測定スイッチを構成するスイッチ本体を実装した状態の図、図１６は本発明の第３の実施の形態による血圧計の回路図の要部、図１７は本発明の第３の実施の形態による血圧計の動作モードの選択を示すフローチャートである。
【００５４】
本発明の第３の実施の形態による血圧計の外観図は、図３に示した外観図と同じであるため図３を用いて説明する。本発明の第３の実施の形態では、図３の測定スイッチ６を設ける第１のモードと設けない場合とで異なる動作をする。さらに、測定スイッチ６を設ける場合も、回路基板へのスイッチ本体の実装の向きによって異なる動作をする。つまり、測定スイッチ６の実装状態に応じて３種類の動作をする。
【００５５】
まず、測定スイッチ６を設ける場合には第１の動作モードで動作するが、この場合は後述する測定スイッチ６を構成するスイッチ本体５６Ｄの取り付け向きによって２種類の動作をする。まず、スイッチ本体５６Ｄを第１の方向で回路基板に実装した場合には、電源スイッチ５を押すと血圧計１の電源が入り、この状態で測定スイッチ６を押すと血圧測定動作が開始される（動作モード１ａ）。次に、スイッチ本体５６Ｄを第２の方向で回路基板に実装した場合には、電源スイッチ５を押すと電源が入るともに、血圧測定動作も開始される。そして、測定した血圧値は所定回数分まで血圧計１に記憶されるとともに、測定スイッチ６はメモリスイッチとして動作し、電源ＯＦＦ状態からメモリスイッチ（測定スイッチ）６を押すと、メモリスイッチ（測定スイッチ）６を押すごとに記憶されている測定値が古いものから順番に表示される（動作モード１ｂ）。また、測定スイッチ６を設けない場合には第２の動作モードで動作し、電源スイッチ５を押すと血圧計１の電源が入るとともに、血圧測定動作が開始される。第２の動作モードでは測定した血圧値は記憶されない。このように、第３の実施の形態では、スイッチを利用する第１の動作モードと、スイッチを利用しない第２の動作モードとを有している。さらに、第１の動作モードも２種類あり、スイッチを利用する動作モード１ａと、スイッチを利用して動作モード１ａとは異なる動作をする動作モード１ｂとを有している。
【００５６】
測定スイッチ６は、図２に示した第１の実施の形態と同様に、スイッチ本体５６と押圧部材６５とから構成されており、スイッチ本体の記号として５６Ｄを用いる。また、回路基板２０ｅも第１の実施の形態と一部が異なるだけであり、それは、接続端子２６ｂがパターン２９ｋによりマイコン１０のスイッチ検出端子１０ｅに接続されている点である。
【００５７】
まず、図１５（ａ）に示すようにスイッチ本体５６Ｄを実装しない場合、スイッチ検出端子１０ｃと１０ｅにはそれぞれプルアップ抵抗Ｒ３とＲ５により電源レベルの信号が供給される。この場合の回路図を図１６（ａ）に示す。
【００５８】
次に、図１５（ｂ）のようにスイッチ本体５６Ｄを回路基板２０ｅに実装した場合には、スイッチ本体５６Ｄの内部で電気的に接続されている外部接続端子５６ｄと５６ｃとにより、回路基板２０ｅの接続パターン２６ｄと２６ｃとが接続されるため、マイコン１０のスイッチ検出端子１０ｃにグランドレベルの信号が供給される。そして、接続パターン２６ｂはスイッチ本体５６Ｄの内部で電気的に接続されている外部接続端子５６ｂと５６ａとにより、接続パターン２６ａと接続されているが、接続パターン２６ｄとは接続されていないため、マイコン１０のスイッチ検出端子１０ｅにはプルアップ抵抗Ｒ５により電源レベルの信号が供給される。この場合の回路図を図１６（ｂ）に示す。
【００５９】
次に、図１５（ｃ）のように、図１５（ｂ）からスイッチ本体５６Ｄを反時計回りに９０度回転させて実装した場合には、接続パターン２６ｃはスイッチ本体５６の外部接続端子５６ａと５６ｂとにより接続パターン２６ａに接続されるため、マイコン１０のスイッチ検出端子１０ｃには電源レベルの信号が供給される。そして、接続パターン２６ｂが、スイッチ本体５６Ｄの外部接続端子５６ｄと５６ｃとにより接続パターン２６ｄと接続されることにより、マイコン１０のスイッチ検出端子１０ｅにはグランドレベルの信号が供給される。この場合の回路図を図１６（ｃ）に示す。
【００６０】
つまり、図１５（ａ）のようにスイッチ本体５６Ｄが実装されていない場合は、Ｈを電源レベルの信号，Ｌをグランドレベルの信号とすると、スイッチ検出端子１０ｃ＝Ｈ，１０ｅ＝Ｈ、図１５（ｂ）のようにスイッチ本体５６が実装されている場合は、スイッチ検出端子１０ｃ＝Ｌ，１０ｅ＝Ｈ、図１５（ｃ）のようにスイッチ本体５６Ｄが実装されている場合は、スイッチ検出端子１０ｃ＝Ｈ，１０ｅ＝Ｌとなる。マイコン１０は、スイッチ検出端子１０ｃ，１０ｅに供給される信号を検出して内蔵されている３種類のプログラムを使い分ける。
【００６１】
次に、図１７を用いて動作モードの選択について説明する。まず、Ｓ３１で血圧計本体２の図示しない電池収納部に電池がセットされる。すると、Ｓ３２では、マイコン１０が内蔵する所定の初期プログラムが実行される。次に、Ｓ３３では、スイッチ検出端子１０ｃがグランドレベルであるか否かを検出し、グランドレベルでない場合は次のＳ３４に進み、グランドレベルの場合はＳ３５に進み前述の第１の動作モードのうちの動作モード１ａを選択する。Ｓ３４ではスイッチ検出端子１０ｅがグランドレベルであるか否かを検出し、グランドレベルの場合はＳ３６に進んで第１の動作モードのうちの動作モード１ｂを選択し、グランドレベルでない場合はＳ３７に進んで第２の動作モードを選択する。
【００６２】
本実施の形態では、回路基板２０ｅに形成された２組の接続パターン２６ｃ−２６ｄと２６ｂ−２６ｄを用いて第１の動作モードか第２の動作モードかを判断している。具体的には、２組のパターンのうちのいずれかが短絡されていれば第１の動作モードで動作するため、第１の実施の形態と同様に、回路基板の２個の接続パターンを短絡することによって第１の動作モードを選択することに変わりはない。また、第１の動作モードの場合、接続パターン２６ｃ−２６ｄまたは２６ｂ−２６ｄの短絡状態によって動作モード１ａか１ｂかを選択している。具体的には、接続パターン２６ｃ−２６ｄが短絡されると（または接続パターン２６ｂ−２６ｄが開放されると）動作モード１ａで動作し、接続パターン２６ｃ−２６ｄが開放されると（または２６ｂ−２６ｄが短絡されると）動作モード１ｂを選択する。従って、第２の実施の形態と同様に、２個の接続パターンの短絡／開放により２つの動作モードを選択することに変わりはない。
【００６３】
このように第３の実施の形態では、電源スイッチの他にもう一つスイッチを設けるか否かによって動作モードを選択できるだけではなく、スイッチの実装の向きによっても動作モードを選択することができる。つまり、スイッチの実装のしかたによって３つの動作モードから選択することができる。
【００６４】
本発明は、血圧計には限られず、他の電子機器に適用することが可能である。例えば、所定の物理量を測定する測定機器の場合は、第１の実施の形態で説明したように、所定の物理量の測定動作を開始させるための測定スイッチを電源スイッチとは別に設け、第１の動作モードでは電源スイッチの操作により電源が投入され、第２の動作モードでは電源スイッチの操作により電源が投入されるとともに所定の物理量の測定動作が開始されるように構成することができる。あるいは、第２の実施の形態のように、過去に測定した所定の物理量の測定結果を呼び出すためのメモリスイッチを設け、このメモリスイッチを回路基板へ実装する向きでメモリの呼び出し方を変えるように構成することもできる。また、第３の実施の形態のように、第１の実施の形態と第２の実施の形態とを複合させることも可能である。測定機器としては、人体または人体の動作から所定の物理量を測定する体温計や体脂肪計等の健康機器だけではなく、それ以外の一般的な機器にも適用することができる。
【００６５】
また、測定機器以外では、例えば時計などの表示部を有する電子機器の場合、表示部照明用のスイッチを実装選択可能にし、照明用のスイッチを実装する第１の動作モードでは照明用のスイッチで表示部を照明し、照明用のスイッチを実装しない第２の動作モードでは照明しないか、他のスイッチで照明するように構成してもよい。あるいは、スイッチの実装のしかたによって表示部の照明機能とアラームＯＮ／ＯＦＦ機能とが選択可能なように構成しても良い。
【００６６】
【発明の効果】
以上説明したように、本発明によれば、実装工程をより簡略化可能な電子機器を提供することができる。
【図面の簡単な説明】
【図１】  図１は本発明の第１の実施の形態における回路基板の要部を示す平面図であり、（ａ）は測定スイッチを構成するスイッチ本体を実装しない状態の図、（ｂ）は測定スイッチを構成するスイッチ本体を実装した状態の図である。
【図２】  電源スイッチ及び測定スイッチの構成を示す図であり、（ａ）はスイッチ本体の背面図、（ｂ）はスイッチ本体の上面図、（ｃ）はスイッチ本体及びスイッチ押圧部材の側面図である。
【図３】  本発明の第１の実施の形態における血圧計の外観図である。
【図４】  本発明の第１の実施の形態における血圧計のブロック図である。
【図５】  本発明の第１の実施の形態における血圧計のスイッチ本体とマイコンの部分の回路図であり、（ａ）は測定スイッチを構成するスイッチ本体を実装しない場合の図、（ｂ）は測定スイッチを構成するスイッチ本体を実装した場合の図である。
【図６】  本発明の第１の実施の形態における血圧計の測定スイッチの検出を示すフローチャートである。
【図７】  本発明の第１の実施の形態において、スイッチ本体の１つの外部接続端子で回路基板に形成された２つの接続パターンを接続する場合の回路基板の要部平面図である。
【図８】  本発明の第１の実施の形態において、２つの外部接続端子が形成されたスイッチ本体を用いて血圧計の測定スイッチを構成した場合を示した図であり、（ａ）は回路基板の要部平面図、（ｂ）は測定スイッチの平面図、（ｃ）は測定スイッチを示す回路図である。
【図９】  本発明の第２の実施の形態における血圧計の回路基板の要部平面図であり、（ａ）はメモリスイッチを構成するスイッチ本体を実装した状態の図、（ｂ）は（ａ）とは異なる向きでメモりスイッチを構成するスイッチ本体を実装した状態の図である。
【図１０】  本発明の第２の実施の形態における血圧計の外観図である。
【図１１】  本発明の第２の実施の形態における血圧計のメモリの値の表示を示す図である。
【図１２】  本発明の第２の実施の形態における血圧計の動作モードの選択を示すフローチャートである。
【図１３】  図１３は本発明の第２の実施の形態における血圧計の回路図の要部であり、（ａ）は図９（ａ）の向きでメモりスイッチを構成するスイッチ本体を実装した場合の図、（ｂ）は図９（ｂ）の向きでメモりスイッチを構成するスイッチ本体を実装した場合の図である。
【図１４】  ２つの外部接続端子が形成されたスイッチ本体を本発明の第２の実施の形態に適用した場合の回路基板の要部を示した図である。
【図１５】  本発明の第３の実施の形態における血圧計に用いる回路基板の要部平面図であり、（ａ）は測定スイッチを構成するスイッチ本体を実装しない状態の図、（ｂ）は測定スイッチを構成するスイッチ本体を実装した状態の図、（ｃ）は（ｂ）とは異なる向きで測定スイッチを構成するスイッチ本体を実装した状態の図である。
【図１６】  本発明の第３の実施の形態による血圧計の回路図の要部である。
【図１７】  本発明の第３の実施の形態による血圧計の動作モードの選択を示すフローチャートである。
【図１８】  従来の血圧計の回路基板のスイッチ部の回路図である。
【符号の説明】
１  血圧計
２  血圧計本体
３  カフ
４  表示装置
５  電源スイッチ
６  測定スイッチ
１０  マイコン
１１  ポンプ
１２  急速排気弁
１３  圧力検出手段
２０，２０ａ〜２０ｅ  回路基板
５６，５６Ａ〜５６Ｄ，６６  スイッチ本体
５６ａ，５６ｂ，５６ｃ，５６ｄ  外部接続端子
２５ａ，２５ｂ，２５ｃ，２５ｄ  接続パターン
２６ａ〜２６ｊ，２６ｃ１，２６ｃ２  接続パターン
６５  押圧部材
【図１】
0004498572.tif 000002
【図２】
0004498572.tif 000003
【図３】
0004498572.tif 000004
【図４】
0004498572.tif 000005
【図５】
0004498572.tif 000006
【図６】
0004498572.tif 000007
【図７】
0004498572.tif 000008
【図８】
0004498572.tif 000009
【図９】
0004498572.tif 000010
【図１０】
0004498572.tif 000011
【図１１】
0004498572.tif 000012
【図１２】
0004498572.tif 000013
【図１３】
0004498572.tif 000014
【図１４】
0004498572.tif 000015
【図１５】
0004498572.tif 000016
【図１６】
0004498572.tif 000017
【図１７】
0004498572.tif 000018
【図１８】
0004498572.tif 000019